【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
中間転写体であって、シロキシフルオロカーボンが網目構造を形成したポリマーの層を含み、
前記シロキシフルオロカーボンが網目構造を形成したポリマーが、以下の構造
【化１】
2014231223.tif 000001
によってあらわされるシロキシフルオロカーボンモノマーから調製され、式中、Ｒ１は、脂肪族または芳香族のフルオロカーボン鎖であり；Ｌは、ＣａＨ２ａリンカー基であり、ここで、ａは、０〜１０の数であり；Ｘ１、Ｘ２およびＸ３は、反応性水酸化官能基、反応性アルコキシド官能基、１個の炭素原子〜１０個の炭素原子を含む非反応性脂肪族官能基、または３個の炭素原子〜１０個の炭素原子を含む非反応性芳香族官能基であり、
前記中間転写体の表面自由エネルギーが１０ｍＮ／ｍ〜４０ｍＮ／ｍであって、前記中間転写体に塗布されたインクの濡れ性を実現し、
前記中間転写体では、前記シロキシフルオロカーボンが網目構造を形成したポリマーの層に対してインクの永久的な接着を示さない、
中間転写体。
【請求項２】
前記シロキシフルオロカーボンが網目構造を形成したポリマーは、以下の構造
【化２】
2014231223.tif 000002
によってあらわされるモノマーから調製され、式中、Ｒ２は、フルオロカーボン鎖をあらわし、フルオロカーボン鎖は、脂肪族、芳香族であってもよく、または脂肪族フルオロカーボン鎖または芳香族フルオロカーボン鎖の混合物を含んでいてもよく；Ｌは、ＣａＨ２ａリンカー基であり、ここで、ａは、０〜１０の数であり；Ｘ１、Ｘ２およびＸ３は、反応性水酸化官能基、反応性アルコキシド官能基、１個の炭素原子〜１０個の炭素原子を含む非反応性脂肪族官能基、または３個の炭素原子〜１０個の炭素原子を含む非反応性芳香族官能基である、請求項１に記載の中間転写体。
【請求項３】
前記シロキシフルオロカーボンが網目構造を形成したポリマーが、一置換フルオロアルコキシシランモノマーおよび二置換フルオロアルコキシシランモノマーから調製され、前記一置換フルオロアルコキシシランモノマーが、前記二置換フルオロアルコキシシランモノマーに対し、０．１〜５０重量％の量で存在する、請求項１または２に記載の中間転写体。
【請求項４】
前記中間転写体は、３００℃〜３５０℃の温度で３０分間加熱した後の重量損失が５％未満である、請求項１〜３のいずれか一項に記載の中間転写体。
【請求項５】
前記シロキシフルオロカーボンが網目構造を形成したポリマーのフッ素含有量は、前記シロキシフルオロカーボンが網目構造を形成したポリマーの合計重量を基準として２０％〜７０重量％である、請求項１〜４のいずれか一項に記載の中間転写体。
【請求項６】
前記シロキシフルオロカーボンが網目構造を形成したポリマーのフッ素含有量を増やすか、または減らすことによって中間転写体の表面自由エネルギーが調整されてもよい、請求項１〜４のいずれか一項に記載の中間転写体。
【請求項７】
基材と；
基材の上に配置された機能性層とをさらに備え、
前記シロキシフルオロカーボンが網目構造を形成したポリマーを含む層が、前記機能性層の外側層として配置される、請求項１〜６のいずれか一項に記載の中間転写体。
【請求項８】
前記機能性層がエラストマー材料を含む、請求項７に記載の中間転写体。
【請求項９】
前記シロキシフルオロカーボンが網目構造を形成したポリマーを含む層は、厚みが３〜６００ミクロンである、請求項７または８に記載の中間転写体。
【請求項１０】
請求項１〜９のいずれか一項に記載の中間転写体を備える、印刷装置。
【請求項１１】
中間転写体の調製方法であって、
シロキシフルオロカーボン前駆体物質を含有するコーティング溶液を混合することと；
基材の上に、前記コーティング溶液をゾルとして塗布することと；
前記基材の上の前記コーティング溶液を硬化させ、シロキシフルオロカーボンが網目構造を形成したポリマーの層を含む中間転写体を形成することと、を含み、
前記シロキシフルオロカーボンが網目構造を形成したポリマーが、以下の構造
【化３】
2014231223.tif 000003
によってあらわされるシロキシフルオロカーボンモノマーから調製され、式中、Ｒ１は、脂肪族または芳香族のフルオロカーボン鎖であり；Ｌは、ＣａＨ２ａリンカー基であり、ここで、ａは、０〜１０の数であり；Ｘ１、Ｘ２およびＸ３は、反応性水酸化官能基、反応性アルコキシド官能基、１個の炭素原子〜１０個の炭素原子を含む非反応性脂肪族官能基、または３個の炭素原子〜１０個の炭素原子を含む非反応性芳香族官能基であり、
前記中間転写体の表面自由エネルギーが１０ｍＮ／ｍ〜４０ｍＮ／ｍであって、前記中間転写体に塗布されたインクの濡れ性を実現し、
前記中間転写体では、前記シロキシフルオロカーボンが網目構造を形成したポリマーの層に対してインクの永久的な接着を示さない、
方法。
【請求項１２】
前記コーティング溶液が、触媒、水および有機溶媒をさらに含む、請求項１１に記載の方法。
【請求項１３】
前記コーティング溶液が、ドローダウンコーティング、スプレーコーティング、浸漬、ロールコーティング、押出成型、スピンコーティング、積層およびキャスト成型からなる群より選択される手段により塗布される、請求項１１または１２に記載の方法。
【請求項１４】
前記有機溶媒が、アルコール、ケトンおよびそれらの混合物からなる群より選択される、請求項１２に記載の方法。
【請求項１５】
前記水の含有量が、前記シロキシフルオロカーボン前駆体物質に対して１モル当量から１０モル当量である、請求項１２または１４に記載の方法。
【請求項１６】
基材に画像を印刷する方法であって、
インクジェット印刷ヘッドを用い、中間転写体にインクジェットインクを塗布することと；
前記中間転写体の上で前記インクジェットインクを広げることと；
前記インクジェットインクの特性変化を誘発することと；
基材に前記インクジェットインクを転写することとを含み、
前記中間転写体は、シロキシフルオロカーボンが網目構造を形成したポリマーの層を含み、
前記シロキシフルオロカーボンが網目構造を形成したポリマーが、以下の構造
【化４】
2014231223.tif 000004
によってあらわされるシロキシフルオロカーボンモノマーから調製され、式中、Ｒ１は、脂肪族または芳香族のフルオロカーボン鎖であり；Ｌは、ＣａＨ２ａリンカー基であり、ここで、ａは、０〜１０の数であり；Ｘ１、Ｘ２およびＸ３は、反応性水酸化官能基、反応性アルコキシド官能基、１個の炭素原子〜１０個の炭素原子を含む非反応性脂肪族官能基、または３個の炭素原子〜１０個の炭素原子を含む非反応性芳香族官能基であり、
前記中間転写体の表面自由エネルギーが１０ｍＮ／ｍ〜４０ｍＮ／ｍであって、前記中間転写体に塗布されたインクの濡れ性を実現し、
前記中間転写体では、前記シロキシフルオロカーボンが網目構造を形成したポリマーの層に対してインクの永久的な接着を示さない、
方法。
【請求項１７】
前記シロキシフルオロカーボンが網目構造を形成したポリマーのフッ素含有量は、前記シロキシフルオロカーボンが網目構造を形成したポリマーの合計重量を基準として２０重量％〜７０重量％である、請求項１６に記載の方法。
【請求項１８】
前記中間転写体は、
シロキシフルオロカーボン前駆体物質を含有するコーティング溶液を混合することと；
基材の上に、前記コーティング溶液をゾルとして塗布することと；
前記基材の上の前記コーティング溶液を硬化させ、シロキシフルオロカーボンが網目構造を形成したポリマーの層を含む中間転写体を形成することと、を含む、請求項１６または１７に記載の方法。
【請求項１９】
前記中間転写体が、基材と、前記基材の上に配置された機能性層とをさらに備え、前記シロキシフルオロカーボンが網目構造を形成したポリマーを含む層が前記機能性層の外側層として配置される、請求項１６〜１８のいずれか一項に記載の方法。
【手続補正２】
【補正対象書類名】明細書
【補正対象項目名】発明の名称
【補正方法】変更
【補正の内容】
【発明の名称】中間転写体、印刷装置、中間転写体の調製方法および基材への画像の印刷方法